(57)【特許請求の範囲】
【請求項１】
照明光源からの照明光が照射される照明領域に配置された視認対象物を視認する視作業を行う観察者の視点位置と前記視認対象物上の任意の位置との直線距離である視線距離を計測する視線距離計測部と、
前記視作業を行う視作業時間において前記視線距離計測部が計測した前記視線距離の平均値である平均視線距離を算出する平均視線距離算出部と、
前記平均視線距離が短いほど観察者の目の負担が大きいという評価基準を記憶する記憶部と、
前記記憶部に記憶された前記評価基準に基づき、前記平均視線距離算出部により算出された前記平均視線距離から前記照明光の優劣を評価する評価部と
を備える照明評価装置。
【請求項２】
前記照明領域における前記照明光の照明条件を取得する照明条件取得部を更に備え、
前記評価部は、前記照明光の優劣として前記照明条件の優劣を評価する
請求項１に記載の照明評価装置。
【請求項３】
前記記憶部は、さらに、前記照明条件取得部で取得した前記照明条件と前記平均視線距離算出部により算出された前記平均視線距離とを関連付けて記憶し、
前記評価部は、前記平均視線距離に関連付けられた前記照明条件の優劣を評価する
請求項２に記載の照明評価装置。
【請求項４】
前記照明条件を計測する照明条件計測部を更に備え、
前記照明条件取得部は、前記照明条件計測部から前記照明条件を取得する
請求項１〜３のいずれか１項に記載の照明評価装置。
【請求項５】
前記照明条件は、前記照明領域における、照度、色温度、演色性、波長、照度勾配、ちらつき度、及び、光の三原色のうちの少なくとも一つである
請求項２〜４のいずれか１項に記載の照明評価装置。
【請求項６】
前記視作業を行う時間を入力する視作業時間入力部を更に備え、
前記平均視線距離算出部は、前記視作業時間入力部で入力された前記時間を前記視作業時間として前記平均視線距離を算出する
請求項１〜５のいずれか１項に記載の照明評価装置。
【請求項７】
前記観察者に関する観察者情報を入力する観察者情報入力部を更に備え、
前記記憶部は、前記観察者情報入力部により入力された観察者情報を、前記平均視線距離と関連付けて記憶する
請求項１〜６のいずれか１項に記載の照明評価装置。
【請求項８】
照明光源からの照明光が照射される照明領域に配置された視認対象物を視認する視作業を行う観察者の視点位置と前記視認対象物上の任意の位置との直線距離である視線距離を計測する視線距離計測ステップと、
前記視作業を行う視作業時間において計測した前記視線距離の平均値である平均視線距離を算出する平均視線距離算出ステップと、
前記平均視線距離が短いほど観察者の目の負担が大きいという評価基準に基づき、前記平均視線距離から前記照明光の優劣を評価する評価ステップと
を含む照明評価方法。
【請求項９】
請求項８に記載の照明評価方法をコンピュータに実行させるためのプログラム。
【発明の詳細な説明】
【技術分野】
【０００１】
本発明は、照明光を評価する照明評価装置及び照明評価方法、並びに、照明評価方法を実行するためのプログラムに関する。
【背景技術】
【０００２】
従来、観察者が照明環境下で一定時間の視作業（読書等）を行う際、照明光が観察者にどのような影響を与えているかの研究がなされているが、照明光の適切な評価方法は知られていない。【０００３】
これまで、照明環境下における観察者の物の見え方を検査する技術が知られている（特許文献１、２）。特許文献１、２に記載された技術は、観察者の視力のパフォーマンスによって照明環境における観察者の物の見え方を評価するものであるが、照明光を評価するものではない。
【先行技術文献】
【特許文献】
【０００４】
【特許文献１】特開２００１−１７３９２号公報
【特許文献２】特開２００１−８７２２５号公報
【発明の概要】
【発明が解決しようとする課題】
【０００５】
近年、観察者の照明環境下における目の負担を評価することによって照明光の評価を行うことが考えられている。この場合、疲労した目の視機能の低下度合いを計測することで照明光の評価を行っている。【０００６】
しかしながら、これまでの照明光の評価方法は、観察者の主観評価によるものであるので、照明光を適切に評価しているとはいえない。つまり、観察者の主観評価は、観察者の心理面及び体調面が評価結果に大きな影響を及ぼすため、これまでの評価方法では、定量的で再現性のある評価結果を得ることができない。しかも、目が疲労した後でなければ評価を行うことができない。【０００７】
本発明は、このような課題を解決するためになされたものであり、照明光について、目が疲労する前に定量的で再現性のある評価結果を得ることができる照明評価装置及び照明評価方法等を提供することを目的とする。
【課題を解決するための手段】
【０００８】
上記目的を達成するために、本発明に係る照明評価装置の一態様は、照明光源からの照明光が照射される照明領域に配置された視認対象物を視認する視作業を行う観察者の視点位置と前記視認対象物上の任意の位置との直線距離である視線距離を計測する視線距離計測部と、前記視作業を行う視作業時間において前記視線距離計測部が計測した前記視線距離の平均値である平均視線距離を算出する平均視線距離算出部と、前記平均視線距離が短いほど観察者の目の負担が大きいという評価基準を記憶する記憶部と、前記記憶部に記憶された前記評価基準に基づき、前記平均視線距離算出部により算出された前記平均視線距離から前記照明光の優劣を評価する評価部とを備える。【０００９】
また、本発明に係る照明評価方法の一態様は、照明光源からの照明光が照射される照明領域に配置された視認対象物を視認する視作業を行う観察者の視点位置と前記視認対象物上の任意の位置との直線距離である視線距離を計測する視線距離計測ステップと、前記視作業を行う視作業時間において計測した前記視線距離の平均値である平均視線距離を算出する平均視線距離算出ステップと、前記平均視線距離が短いほど観察者の目の負担が大きいという評価基準に基づき、前記平均視線距離から前記照明光の優劣を評価する評価ステップとを含む。【００１０】
なお、本発明は、上記照明評価装置及び照明評価方法として実現できるだけでなく、照明評価方法をコンピュータに実行させるプログラムとして実現したり、そのプログラムを格納したコンピュータ読み取り可能な記録媒体として実現したりすることもできる。
【発明の効果】
【００１１】
照明光について、目が疲労する前に定量的で再現性のある評価結果を得ることができる。
【図面の簡単な説明】
【００１２】
【図１】図１は、実施の形態に係る照明評価システムの構成を模式的に示す模式図である。
【図２】図２は、実施の形態に係る照明評価装置の基本的な構成を示すブロック図である。
【図３】図３は、実施の形態に係る照明評価装置における視線距離の計測方法の一例を説明するための図である。
【図４】図４は、読書面（照明領域）の照度と読書距離（視線距離）との関係を示す図である。
【図５】図５は、読書距離（視線距離）と屈折度の変化量との関係を示す図である。
【図６】図６は、実施の形態に係る照明評価方法のフローチャートである。
【図７】図７は、変形例１に係る照明評価装置の基本的な構成を示すブロック図である。
【図８】図８は、変形例２に係る照明評価装置の基本的な構成を示すブロック図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。なお、各図において、実質的に同一の構成に対しては同一の符号を付しており、重複する説明は省略又は簡略化する。
【００１５】
（実施の形態）
まず、実施の形態に係る照明評価システム１及び照明評価装置１００の構成について、図１及び図２を用いて説明する。図１は、実施の形態に係る照明評価システムの構成を模式的に示す模式図である。図２は、実施の形態に係る照明評価装置の基本的な構成を示すブロック図である。
【００１６】
［照明評価システム、照明評価装置］
図１に示すように、照明評価システム１は、照明評価装置１００と照明光源２００とを備えて構成されており、照明光源２００から照射される照明光を評価する。本実施の形態では、照明評価装置１００が、照明光源２００の照明環境下で視作業を行う観察者Ｐの目の負担に基づいて、照明光源２００からの照明光の優劣を評価する。
【００１７】
図１に示すように、観察者Ｐは、視点位置Ｓ（観察者Ｐの目の位置）から、照明光源２００により照射された照明領域（照射領域）３１０を見ている。なお、視点位置Ｓは、両眼の中心位置又は利き目の位置等として設定してもよく、また、左右の目のどちらか一方を任意に設定してもよい。一例として、図１に示す観察者Ｐは、視作業として読書を行っている。具体的には、観察者Ｐは、椅子に座り、頭部が顎置き等により固定されない状態で、デスク３００に置かれた書物を観察対象（視認対象物）として視認し、書物の内容を読んでいる。つまり、観察者Ｐは、照明光源２００により照射された書物を読むことによって、一定時間（視作業時間）の間、照明領域３１０（照射面）を見ることになる。
【００１８】
照明光源２００は、照明領域３１０に向けて照明光Ｌを照射する。つまり、照明光源２００からの照明光Ｌが照射される領域が照明領域３１０となる。照明光源２００は、光出力を変更可能な調光機能、色温度又は光色を変更可能な調色機能、及び、配光角を変更可能な配光制御機能等を有していてもよい。照明光源２００は、例えばデスク３００上を照明するデスクライトである。
【００１９】
図２に示すように、照明評価装置１００は、視線距離計測部１０と、処理部２０と、記憶部３０とを備える。本実施の形態における照明評価装置１００は、さらに、照明条件取得部４０と、視作業時間入力部５０とを備える。
【００２０】
処理部２０は、各種制御機能を有する制御部であり、本実施の形態では、平均視線距離算出部２１及び評価部２２を有する。
【００２１】
照明評価装置１００は、例えば、ノートパソコン等の情報処理装置１１０及び三次元距離センサ１２０によって構成されるが、これに限るものではない。三次元距離センサ１２０は、例えば赤外線プロジェクタと赤外線カメラとを有する。
【００２２】
［視線距離計測部］
視線距離計測部１０は、照明領域３１０に配置された視認対象物を視認する視作業を行う観察者Ｐの視点位置Ｓと視認対象物上の任意の位置Ｂとの直線距離である視線距離（視距離）Ｘを計測する。
【００２３】
ここで、視線距離Ｘの計測方法の一例について、図３を用いて説明する。図３は、実施の形態に係る照明評価装置１００における視線距離Ｘの計測方法の一例を説明するための図である。
【００２４】
図３に示すように、三次元空間座標において、三次元距離センサ１２０の赤外線カメラの位置Ｏを原点（０、０、０）とし、観察者Ｐの視点位置Ｓの座標を（Ｘｓ、Ｙｓ、Ｚｓ）とし、視認対象物（観察者Ｐの視線の先）である書物の任意の位置Ｂの座標を（Ｗ、Ｈ、Ｄ）とする。つまり、書物の任意の位置Ｂから三次元距離センサ１２０の赤外線カメラの位置Ｏまでの水平距離がＷで奥行がＤで高さがＨである。
【００２５】
この場合、視線距離Ｘは、以下の式（１）で求めることができる。
【００２６】
【数１】
0006541084.tif 000002
【００２７】
三次元距離センサ１２０は、観察者Ｐの目を認識することによって、自機（三次元距離センサ１２０）と観察者Ｐの視点Ｓとの直線距離である計測距離Ｙを計測することができる。つまり、三次元距離センサ１２０は、観察者Ｐの視点位置Ｓの三次元空間座標（Ｘｓ、Ｙｓ、Ｚｓ）を算出することができる。
【００２８】
これにより、既知の奥行Ｄ及び高さＨの値と、三次元距離センサ１２０で算出した視点位置Ｓの座標（Ｘｓ、Ｙｓ、Ｚｓ）とを用いて、上記式（１）から視線距離Ｘを算出することができる。なお、図１及び図３に示すように、本実施の形態では、視点位置Ｓの正面に三次元距離センサ１２０を配置することにしているため、Ｗ＝０としている。
【００２９】
［平均視線距離算出部］
平均視線距離算出部２１は、視作業を行う視作業時間において視線距離計測部１０が計測した視線距離Ｘの平均値である平均視線距離Ｘａを算出する。本実施の形態において、平均視線距離算出部２１は、視作業時間入力部５０で入力された時間を視作業時間として平均視線距離Ｘａを算出する。具体的には、平均視線距離Ｘａは、第１時刻から第２時刻までの視作業時間内において計測した複数の視線距離Ｘの平均値として算出することができる。例えば、視作業時間を６０分として１秒ごとに観察者Ｐの視線距離Ｘを算出することで６０分間の平均視線距離Ｘａを算出することができる。
【００３０】
このとき、観察者Ｐは視作業時間内において視作業を一時的に中断する場合がある。この場合、視線距離Ｘは本来の値から大きくずれることがある。このため、平均視線距離Ｘａを算出する際、設定範囲を超えた視線距離Ｘを除外するようにしてもよい。つまり、予め上限値及び下限値を設定しておいて、算出した視線距離Ｘが上限値を上回る場合又は下限値を下回る場合には、平均視線距離Ｘａを算出する際の母集団から設定範囲外の視線距離Ｘを除外してもよい。
【００３１】
なお、処理部２０は、算出された平均視線距離Ｘａを照明条件取得部４０で取得した照明条件と関連付けて記憶部３０に記憶させる。また、平均視線距離Ｘａを算出する際の視作業時間は、視作業時間入力部５０によって入力されなくてもよく、平均視線距離Ｘａを算出する際の視作業時間は予め定められた所定の値（設定値）であってもよい。
【００３２】
［評価部］
評価部２２は、記憶部３０に記憶された、平均視線距離が短いほど観察者の目の負担が大きいという評価基準に基づき、平均視線距離算出部２１により算出された平均視線距離Ｘａから照明光Ｌの優劣を評価する。例えば、平均視線距離が短いほど、目の負担が大きく照明環境が劣っていると評価し、平均視線距離が長いほど、目の負担が小さく、照明環境が優れていると評価する。なお、平均視線距離が短い又は長いという判断は、所定の基準値（例えば３０ｃｍ等）に対して行ってもよいし、他の視作業の平均視線距離と比較して行ってもよい。
【００３３】
本実施の形態において、評価部２２は、照明光Ｌの優劣として照明条件の優劣を評価する。具体的には、評価部２２は、平均視線距離Ｘａに関連付けられた照明条件の優劣を評価する。この場合、評価部２２は、照明条件取得部４０で取得した照明光Ｌの照明条件の優劣を評価するが、照明条件が予め定められている場合は、照明条件取得部４０から照明条件を取得する必要はない。
【００３４】
照明光Ｌの照明条件は、例えば、照明領域３１０における、照度、色温度、演色性、波長、照度勾配、ちらつき度（ちらつきの周波数）、及び、光の三原色（Ｒ，Ｇ，Ｂ）のうちの少なくとも一つである。
【００３５】
なお、本実施の形態における処理部２０は、平均視線距離算出部２１及び評価部２２を実行するための処理を行うが、この処理だけに限らず、その他に、例えば、照明評価装置１００が行う処理に必要な演算を行ったり情報の一時的な記憶を行ったりしてもよい。
【００３６】
［記憶部］
記憶部３０は、平均視線距離が短いほど観察者の目の負担が大きいという評価基準を記憶している。記憶部３０は、さらに、照明条件取得部４０で取得した照明条件と平均視線距離算出部２１により算出された平均視線距離Ｘａとを関連付けて記憶する。
【００３７】
また、記憶部３０は、視線距離計測部１０で計測した視線距離Ｘを記憶したり、平均視線距離算出部２１により算出された平均視線距離Ｘａを記憶したり、評価部２２で評価した照明光Ｌの評価結果を記憶したり、照明条件取得部４０からユーザが入力した照明条件を記憶したり、視作業時間入力部５０からユーザが入力した視作業時間を記憶したりしてもよい。
【００３８】
さらに、記憶部３０は、その他の情報を記憶してもよいし、また、照明評価装置１００が行う処理に必要な一連のプログラム等を記憶していてもよい。
【００３９】
記憶部３０は、論理構造としての表示であり、現実には、同一のハードウェアから構成されていてもよいし、分割された別個のハードウェアから構成されていてもよい。記憶部３０は、例えば、ＳＲＡＭ又はＤＲＡＭ等の揮発性の記憶装置からなる主記憶装置、もしくは、磁気ディスク、光ディスク、光磁気ディスク又は半導体メモリ等の不揮発性の記憶装置からなる補助記憶装置によって構成される。
【００４０】
［照明条件取得部］
照明条件取得部４０は、照明領域３１０における照明光Ｌの照明条件を取得する。取得した照明条件は、処理部２０に入力される。本実施の形態において、照明条件取得部４０は、ユーザの操作に応じて照明条件を入力する入力手段であり、例えばキーボード、マウス、タッチパネル等のユーザインターフェースである。
【００４１】
この場合、照明光源２００は、ユーザの操作により照明条件取得部４０に入力された照明条件が設定され、設定された照明条件の照明光Ｌを照射する機能を有していてもよい。
【００４２】
なお、照明条件取得部４０は、ユーザが入力する場合に限らず、ユーザが照明条件を入力することなく、予め定められた所定の照明条件を自動的に取得してもよい。また、照明条件が予め定められている場合は、照明条件取得部４０は設けられていなくてもよい。
【００４３】
［視作業時間入力部］
視作業時間入力部５０は、観察者Ｐが視作業を行う時間（視作業時間）を入力する。入力された視作業時間は、平均視線距離算出部２１に入力されて、平均視線距離Ｘａの算出に用いられる。視作業時間入力部５０は、ユーザの操作に応じて予め視認作業時間を入力する入力手段であり、例えばキーボード、マウス、タッチパネル等のユーザインターフェースである。
【００４４】
なお、視作業時間が予め定められた設定値である場合、視作業時間入力部５０は設けられていなくてもよい。
【００４５】
［評価基準］
このように、本実施の形態では、照明光Ｌの優劣を評価する評価基準として、平均視線距離が短いほど観察者の目の負担が大きいという基準を用いているが、この基準は、本願発明者が行った以下の実験結果によるものである。
【００４６】
本願発明者は、照明光の照明条件と目の負担との関係について実験を行った。本実験では、視作業として読書を行った。また、照明光の照明条件の一例として「照度」を用いた。
【００４７】
具体的には、図１のように、椅子に座った被験者に、一定照度の照明環境下でデスク３００上の照明領域３１０（読書面）に置かれた本を読んでもらった。この場合、各被験者に対して、視作業前（読書前）に目の屈折度を計測した後に、６０分間の視作業（読書）を行なってもらい、視作業後（読書後）に再度目の屈折度を計測した。つまり、一定時間の視作業前後における屈折度の変化量を求めた。また、視作業中は、１秒間隔で視線距離Ｘ（読書距離）を計測し、平均視線距離Ｘａを算出した。
【００４８】
このことを、照明光Ｌの照度が、２００ｌｘ、９００ｌｘ、１４００ｌｘの各々の場合について行った。つまり、３種の照明光源２００（デスクライト）について実験を行った。本実験において、視線距離Ｘの計測は、上記と同じ方法で行い、照度は、照度計により計測した。また、被験者の目の屈折度は、オートレフラクトメータ（屈折度数計測装置）によって測定した。なお、被験者は１８名とし、被験者の視力は全員１．０とした。
【００４９】
この実験により、図４及び図５に示す結果が得られた。図４は、読書面（照明領域）の照度と読書距離（視線距離）との関係を示す図であり、照明環境が視線距離に与える影響を示している。また、図５は、読書距離（視線距離）と屈折度の変化量との関係を示す図であり、読書距離と目の負担との関連性を示している。なお、図４及び図５において、読書距離（視線距離）は、６０分間での平均値（平均視線距離）を示している。
【００５０】
図４に示すように、照明領域における照度が高いほど視線距離が長くなり、逆に、照明領域における照度が小さいほど視線距離が短くなることが分かる。つまり、照度が高いほど観察者の姿勢が正しくなっていることが分かる。
【００５１】
また、図５に示すように、視線距離が長いほど、読書前後における目の屈折度の変化量が小さくなり、逆に、視線距離が短いほど、読書前後における目の屈折度の変化量が大きくなることが分かる。
【００５２】
目の屈折度の変化量が大きいことは、目の負担が大きいことを意味する。この点について、以下に説明する。
【００５３】
人は、対象から目に入ってきた光を、水晶体の膨らみを調節して網膜に結像することにより、目の焦点が合い、対象物を視認することができる。水晶体は、毛様体筋により膨らみが調節され、目の屈折度が調節される。
【００５４】
例えば、遠くの対象物に目の焦点が合っている場合、目は、毛様体筋が弛緩し、水晶体が薄くなる。この場合、遠くの対象物を見続けても、毛様体筋が弛緩しているため、目の負担は小さい。
【００５５】
一方、近くの対象物に焦点が合っている場合、目は、毛様体筋が緊張し、水晶体が厚くなる。この場合、近くの対象を見続けると、毛様体筋が緊張しているため、目の負担が大きい。読書によって近くの対象物を長時間見続ける間は毛様体筋が絶えず緊張するので、読書を終えた後も毛様体筋の緊張が緩和されずに残ってしまい、高い屈折度を有した状態（仮性近視）になってしまう。つまり、読書前後において屈折度の変化量が大きいことは、目の負担が大きいことを意味する。
【００５６】
したがって、図５に示すように、視線距離が短いほど被験者の読書前後における目の屈折度の変化量が大きくということは、視線距離が短いほど目の負担が大きいということになる。
【００５７】
本実施の形態では、このことを評価基準として、照明光（照明環境）の評価を行っている。
【００５８】
［照明評価方法］
次に、実施の形態に係る照明評価方法について、図１〜図３を参照しながら、図６を用いて説明する。図６は、実施の形態に係る照明評価方法のフローチャートである。
【００５９】
図６に示すように、本実施の形態に係る照明評価方法は、視線距離計測ステップＳ３０と、平均視線距離算出ステップＳ４０と、記憶ステップＳ５０と、評価ステップＳ６０とを含む。本実施の形態では、さらに、照明条件取得ステップＳ１０と、視作業時間入力ステップＳ２０とを含む。
【００６０】
照明条件取得ステップＳ１０では、照明領域３１０における照明光Ｌの照明条件を取得する。取得した照明条件は処理部２０に入力する。
【００６１】
視作業時間入力ステップＳ２０では、観察者Ｐの視作業時間を入力する。入力された視作業時間は、平均視線距離算出部２１に入力される。
【００６２】
視線距離計測ステップＳ３０では、照明光源２００からの照明光Ｌが照射される照明領域３１０に配置された視認対象物を視認する視作業を行う観察者Ｐの視点位置Ｓと視認対象物上の任意の位置Ｂとの直線距離である視線距離Ｘを計測する。視線距離Ｘは、上記の計測方法で計測することができる。計測した視線距離Ｘは、平均視線距離算出部２１に入力される。
【００６３】
平均視線距離算出ステップＳ４０では、視作業を行う視作業時間において計測した視線距離Ｘの平均値である平均視線距離Ｘａを算出する。平均視線距離Ｘａは、上記の方法で算出することができる。
【００６４】
記憶ステップＳ５０では、取得した照明条件と算出した均視線距離Ｘａとを関連付けて記憶する。
【００６５】
評価ステップＳ６０では、平均視線距離Ｘａが短いほど観察者Ｐの目の負担が大きいという評価基準に基づき、平均視線距離Ｘａから照明光Ｌの優劣を評価する。例えば、照明光Ｌの優劣として、平均視線距離Ｘａに関連付けられた照明条件の優劣を評価する。
【００６６】
照明光Ｌ（照明条件）の評価結果は、ディスプレイ等の表示部（不図示）に表示してもよい。
【００６７】
なお、上記各ステップの順序は、図６に示す順序に限るものではなく、適宜入れ替えてもよい。例えば、視作業時間入力ステップＳ２０の後に、照明条件取得ステップＳ１０を行ってもよい。また、上記ステップは、必ずしも全て必要ではない。例えば、照明条件取得ステップＳ１０及び視作業時間入力ステップＳ２０はなくてもよい。
【００６８】
［まとめ］
以上、本実施の形態における照明評価システム１及び照明評価装置１００は、照明光源２００からの照明光Ｌが照射される照明領域３１０に配置された視認体調物を視認する視作業を行う観察者Ｐの視点位置Ｓと視認対象物上の任意の位置Ｂとの直線距離である視線距離Ｘを計測する視線距離計測部１０と、視作業時間において視線距離計測部１０が計測した視線距離Ｘの平均値である平均視線距離Ｘａを算出する平均視線距離算出部２１と、平均視線距離ＸＡａが短いほど観察者の目の負担が大きいという評価基準を記憶する記憶部３０と、記憶部３０に記憶された上記評価基準に基づき、平均視線距離算出部２１により算出された平均視線距離Ｘａから照明光の優劣を評価する評価部２２とを備える。
【００６９】
このように、本実施の形態では、任意の照明光源２００による照明領域３１０上での一定時間の視作業中の平均視線距離Ｘａを算出し、照明環境における観察者の目の負担に関する評価基準に基づいて、平均視線距離Ｘａから照明光Ｌの優劣を評価している。
【００７０】
これにより、照明光源２００の照明光Ｌ（照明環境）について、目が疲労する前に定量的で再現性のある評価結果を得ることができる。つまり、再現性よく定量的に照明光源２００の優劣を評価することができる。
【００７１】
なお、照明光Ｌ又は照明光源２００の評価結果は、点数（例えば、５０点、８０点、１００点等）、又は、ランク（例えば、Ａ〜Ｅや星の数等）等で表すことができる。また、評価結果（点数等）を照明光源２００の価格に反映させることで、消費者は自分に適した照明光源（ランプ、照明器具等）を容易に選択することが可能となる。
【００７２】
また、本実施の形態では、照明領域３１０における照明光Ｌの照明条件を取得する照明条件取得部４０を更に備えており、評価部２２は、照明光Ｌの優劣として、照明条件取得部４０から取得した照明条件の優劣を評価している。
【００７３】
このように、照明条件取得部４０を備えることにより、取得した照明条件についての優劣を評価することができる。これにより、必要な照明条件を選択して評価することが可能となる。
【００７４】
さらに、本実施の形態では、記憶部３０が、照明条件取得部４０で取得した照明条件と平均視線距離算出部２１により算出された平均視線距離Ｘａとを関連付けて記憶している。そして、評価部２２は、平均視線距離Ｘａに関連付けられた照明条件の優劣を評価している。
【００７５】
このように、照明条件取得部４０で取得した照明条件と平均視線距離算出部２１により算出された平均視線距離Ｘａとを関連付けることによって、より精度が高く適切な照明条件の評価結果を得ることができる。
【００７６】
また、本実施の形態では、視作業を行う時間を入力する視作業時間入力部５０を更に備えており、平均視線距離算出部２１は、視作業時間入力部５０で入力された時間を視作業時間として平均視線距離Ｘａを算出している。
【００７７】
このように、視作業時間入力部５０を備えることにより、作業時間毎に評価結果を整理することができる。これにより、評価結果の精度が向上する。
【００７８】
（変形例１）
次に、変形例１について、図７を用いて説明する。図７は、変形例１に係る照明評価装置の基本的な構成を示すブロック図である。
【００７９】
本変形例に係る照明評価装置１００Ａは、上記実施の形態に係る照明評価装置１００に、さらに、照明条件を計測する照明条件計測部６０を加えた構成である。
【００８０】
照明条件計測部６０は、例えば、照明光源２００により照射される照明領域３１０における照明条件を計測する。具体的には、照明条件計測部６０は、照明領域３１０における、照度、色温度、演色性、波長、照度勾配、ちらつき度（ちらつきの周波数）、又は、光の三原色等の照明条件を計測し、この照明条件を照明条件取得部４０に入力する。
【００８１】
つまり、照明条件取得部４０は、照明条件計測部６０から照明条件を取得し、この照明条件を処理部２０に入力する。照明条件計測部６０は、各種計測器やセンサ等からなり、照射面１２上の複数の箇所における照明条件を計測する。
【００８２】
このように、照明条件取得部４０は、上記実施の形態のようにユーザの操作により照明条件を取得する構成に限るものでなく、照明条件を電気信号として各種計測器等から直接取得するように構成されていてもよい。
【００８３】
以上、本変形例によれば、照明条件計測部６０を備えることにより、照明条件計測部６０によって計測された照明条件を、照明条件取得部４０が処理部２０に自動的に入力することができる。これにより、照明条件の入力精度が向上し、照明光Ｌの評価の簡素化を図ることができる。
【００８４】
（変形例２）
次に、変形例２について、図８を用いて説明する。図８は、変形例２に係る照明評価装置の基本的な構成を示すブロック図である。
【００８５】
本変形例に係る照明評価装置１００Ｂは、上記実施の形態に係る照明評価装置１００に、さらに、観察者Ｐに関する観察者情報を入力する観察者情報入力部７０を加えた構成である。観察者情報は、例えば、観察者Ｐの年齢、性別、視力、眼鏡等の有無、識別子等である。観察者情報入力部７０は、例えばキーボード、マウス、タッチパネル等のユーザインターフェースである。
【００８６】
本変形例において、記憶部３０は、観察者情報入力部７０により入力された観察者情報を、平均視線距離算出部２１により算出された平均視線距離Ｘａと関連付けて記憶する。
【００８７】
以上、本変形例によれば、観察者情報入力部７０を備えることにより、観察者情報毎に評価結果を整理することができる。これにより、評価結果の精度が向上する。
【００８８】
（その他変形例等）
以上、本発明に係る照明評価システム、照明評価装置及び照明評価方法等について、実施の形態及び変形例に基づいて説明したが、本発明は、上記の実施の形態及び変形例に限定されるものではない。
【００８９】
例えば、上記実施の形態及び変形例において、照明領域３１０は水平面であったが、照明領域３１０は水平面に限らず、垂直面であってもよい。例えば、観察者Ｐが垂直看板の表面（照明領域３１０）の文字情報を視認する場合等である。この場合、照明光源２００は、垂直面である照明領域（照射面）３１０の前方の斜め上方に設置され、照明領域３１０に向けて照明光Ｌを照射する。そして、観察者Ｐは、例えば、起立し、頭部が固定されない状態で、視点Ｓから照明光源２００により照射された照明領域３１０を見る。
【００９０】
また、上記実施の形態及び変形例において、照明評価装置は、照明光Ｌ（照明条件）の評価結果を表示するための表示部（不図示）、又は、照明光Ｌ（照明条件）の評価結果を音声出力するためのスピーカ（不図示）を備えていてもよい。
【００９１】
また、上記実施の形態及び変形例において、照明評価装置は、照明光源の消費電力等を考慮し、観察者Ｐの目の負担と併せて総合的に照明光（照明光源）を評価してもよい。
【００９２】
その他、上記実施の形態及び変形例に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００９３】
また、上記の説明において、処理部２０における各構成は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００９４】
また、処理部２０等、照明評価装置１００の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００９５】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明システムにおける方法をコンピュータに実行させるプログラムとして実現したり、そのようなプログラムを記録したコンピュータ読み取り可能な記録媒体として実現したりすることもできる。
【符号の説明】
【００９６】
１  照明評価システム
１０  視線距離計測部
２１  平均視線距離算出部
２２  評価部
３０  記憶部
４０  照明条件取得部
５０  視作業時間入力部
６０  照明条件計測部
７０  観察者情報入力部
１００、１００Ａ、１００Ｂ  照明評価装置
２００  照明光源
３００  デスク
３１０  照明領域
【図１】
0006541084.tif 000003
【図２】
0006541084.tif 000004
【図３】
0006541084.tif 000005
【図４】
0006541084.tif 000006
【図５】
0006541084.tif 000007
【図６】
0006541084.tif 000008
【図７】
0006541084.tif 000009
【図８】
0006541084.tif 000010